(57)【要約】      （修正有）【課題】竹馬遊びをするときに使用する着脱式の竹馬の補助カバーを提供する。【解決手段】竿１の後側に踏板４を取付け、下端に石突３を固定した竹馬の補助カバーであって、上記石突３の外側に着脱可能に嵌合するカバー本体Ａと、竿１の外側に挿入してカバー本体Ａの上端に螺合する筒状のキャップ１３とよりなり、上記カバー本体Ａは断面Ｕ字型の内筒５と、上端を内筒５の中間部に一体的に固定した断面ハの字型の外筒６とを設ける。さらに、上記内筒５に下部内側に石突３の外側に刻設した縦溝７に嵌合する回転防止を兼ねた位置決め用突条８を突設し、上部外周には雄ネジを設ける。また、上記外筒６は接地したとき竿１が前傾状態になるように傾斜した接地端面１１を形成し、前記筒状のキャップ１３はカバー本体における内筒の上部と竿との間隙に嵌入する内筒部と、その外側に内筒の上部に挿入する間隙を隔てて形成した外筒部とにより構成する。【選択図】図１
0003167878.tif 000002
【実用新案登録請求の範囲】
【請求項１】
竿の後側に踏板を取付け、下端に石突を固定した竹馬の補助カバーであって、上記石突の外側に着脱可能に嵌合するカバー本体と、竿の外側に挿入してカバー本体の上端に螺合する筒状のキャップとよりなり、上記カバー本体は断面Ｕ字型の内筒と、上端を内筒の中間部に一体的に固定した断面ハの字型の外筒とにより構成し、上記内筒は下部内側に石突の外側に刻設した縦溝に嵌合する回転防止を兼ねた位置決め用突条を突設し、上部外周には雄ネジを設け、上記外筒は接地したとき竿が前傾状態になるように傾斜した接地端面を形成し、前記筒状のキャップはカバー本体における内筒の上部と竿との間隙に嵌入する内筒部と、その外側に内筒の上部に挿入する間隙を隔てて形成した外筒部とにより構成し、この外筒部の内面には内筒の雄ネジに螺合する雌ネジを刻設したことを特徴とする竹馬の石突カバー。
【考案の詳細な説明】
【技術分野】
【０００１】
本考案は、竹馬乗りが初めての子供が使用する竹馬の補助カバーに関するものである。
【背景技術】
【０００２】
実開昭５８−１２６８６０号公報には、竹馬における竿の下端に、竿の断面積よりも広い接地面を有する脚体を付設し、この脚体の接地面を地面に接地したとき、竿が前傾状態となるように、接地面の角度を傾斜させたものが開示されている。
【０００３】
実開昭５６−１５５８６１号公報には、竹馬における竿の下端に、伏せ椀状の接地体を軸着し、乗りはじめ若しくは歩行中に竿を所望の角度に選択して遊ぶことができ、また接地体が角度を任意に変えながら接地するように構成したものが開示されている。
【０００４】
上記の両竹馬は、幼児が初めて竹馬遊びをするとき、バランスを保って踏板上に容易に乗ることができるように、竿の下端に脚体とか接地体を固定した、所謂初心者専用のものである。そのため竹馬遊びに慣れて来ると、脚体とか接地体が装着されていない一般の竹馬と取替えなければならなかった。
【０００５】
【特許文献１】実開昭５８−１２６８６０号公報
【特許文献２】実開昭５６−１５５８６１号公報
【考案の概要】
【考案が解決しようとする課題】
【０００６】
本考案は、子供が初めて竹馬遊びをするときに使用する着脱式の竹馬の補助カバーを提供することを目的としている。
【課題を解決するための手段】
【０００７】
本考案に係る考案は、竿の後側に踏板を取付け、下端に石突を固定した竹馬の補助カバーであって、上記石突の外側に着脱可能に嵌合するカバー本体と、竿の外側に挿入してカバー本体の上端に螺合する筒状のキャップとよりなり、上記カバー本体は断面Ｕ字型の内筒と、上端を内筒の中間部に一体的に固定した断面ハの字型の外筒とにより構成し、上記内筒は下部内側に石突の外側に刻設した縦溝に嵌合する回転防止を兼ねた位置決め用突条を突設し、上部外周には雄ネジを設け、上記外筒は接地したとき竿が前傾状態になるように傾斜した接地端面を形成し、前記筒状のキャップはカバー本体における内筒の上部と竿との間隙に嵌入する内筒部と、その外側に内筒の上部に挿入する間隙を隔てて形成した外筒部とにより構成し、この外筒部の内面には内筒の雄ネジに螺合する雌ネジを刻設したことを特徴としている。
【０００８】
竹馬における竿の下端に固定した石突にカバー本体の内筒を嵌合するとともに、竿を垂直に起立した状態において、外筒の傾斜した接地端面の後端が地面に接地し、前端が地面から離隔するように、石突の縦溝に内筒の突条を嵌入する。このようにカバー本体を石突に取り付けた後、予め竿の外側に挿入しておいた環状のキャップの内筒部を竿と内筒の上部との間隙に挿入するとともに、外筒部の雌ネジを内筒の雄ネジに螺合すると、カバー本体の内筒とキャップは一体化され、石突に固定される。石突への固定状態において、カバー本体から環状のキャップを離脱すれば、カバー本体は石突から離脱される。
【考案の効果】
【０００９】
本考案に係る竹馬の補助カバーは、カバー本体を竹馬の石突に固定し、傾斜した外筒の接地端面を地面に接地させると、竿が前傾した状態で安定するため、初めて竹馬遊びをする幼児でも踏板上に容易に乗ることができ、歩行することができる。
【００１０】
また円筒の石突への嵌合と同時に、突条の縦溝への嵌合により、カバー本体の前後の方向を間違えることなく正確に固定することができ、しかも突条の縦溝への嵌合、及びキャップの嵌合によるカバー本体の竿への緊締により、カバー本体が回動したり緩みを生ずることがないので、安心して竹馬遊びをすることができる。
【００１１】
更に、キャップをカバー本体から離脱し、カバー本体を石突から離脱すれば、一般の竹馬として使用することができ、新たな竹馬を購入する必要がないので、極めて経済的である。
【図面の簡単な説明】
【００１２】
【図１】本考案に係る竹馬の補助カバーの実施形態を示す縦断面図である。
【図２】同上実施形態におけるカバー本体の平面図である。
【図３】同上実施形態における要部の縦断面図である。
【考案を実施するための形態】
【００１３】
以下、本考案に係る竹馬の補助カバーの実施形態を図１，図２を参照して詳細に説明する。
【００１４】
符号１は竹馬における金属パイプ製の竿であり、その上端にはプラスチック製のカバー２を、下端にはプラスチック製の石突３を固定している。また上記竿１の下部後側にプラスチック製の踏板４を昇降自在に装着している。
【００１５】
符号Ａはプラスチック製のカバー本体であり、石突３に嵌合する断面Ｕ字型の内筒５と、上端を内筒５の中間部に一体的に固定した断面ハの字型の外筒６により構成している。
【００１６】
上記内筒５の下部内側には、石突３の前後左右に配設した縦溝７に嵌合する４本の突条８を突設し、内筒５の上部外側には、雄ネジ９を形成している。前記外筒６は空間を隔てて内筒５の下部を囲繞するとともに、下端を内筒５より下側に且つ外方へ広く開口している。この下端には、地面１０に接地すると竿１が前傾状態となり、竿１を垂直状態にすると後端が接地し、前端が地面１０より離隔するように、傾斜した接地端面１１を形成している。尚符号１２は、前記内筒５と外筒６を連結した補強板である。
【００１７】
符号１３はプラスチック製の筒状を呈したキャップであり、竿１に昇降自在に嵌挿するための透孔１４を設け、この透孔１４の下縁にはカバー本体Ａの内筒５の上部と竿１との間隙１５に嵌入する内筒部１６を一体的に固定し、その外側に内筒５の上部に挿入する間隙１７を隔てて外筒部１８を形成している。この外筒部１８の内面には内筒５の雄ネジ９に螺合する雌ネジ１９を形成している。
【００１８】
図１，図３に示すように、竿１の下端に固定された石突３にカバー本体Ａの内筒５を嵌合するとともに，突条８を石突３の縦溝７に嵌合した後、予め竿１の下部に挿入したキャップ１３をカバー本体Ａに螺合させて石突３に固定すれば、竿１が前傾状態で安定するため、初めて竹馬遊びをする幼児でも踏板４に容易に乗ることができる。
【００１９】
バランス良く石突に乗れるようになった場合、キャップ１３をカバー本体Ａから外し、カバー本体Ａを石突３から取り外せば、石突３を直に接地して従来の竹馬遊びができる。
【００２０】
尚、上記実施例では、石突３の前後左右に縦溝７を配設し、内筒５の内側に縦溝７に嵌合する突条８を形成したが、縦溝７と突条８は、１箇所とか２箇所の場合もある。またギアのように多数本にすることもある。但しこの場合は、位置決め用の目印が必要となる。
【符号の説明】
【００２１】
Ａ        カバー本体
１        竿
２        カバー
３        石  突
４        踏  板
５        内  筒
６        外  筒
７        縦  溝
８        突  条
９        雄ネジ
１０      地  面
１１      接地端面
１２      補強板
１３      キャップ
１４      透  孔
１５      間  隙
１６      内筒部
１７      間  隙
１８      外筒部
１９      雌ネジ
【図１】
0003167878.tif 000003
【図２】
0003167878.tif 000004
【図３】
0003167878.tif 000005